(57)【要約】【課題】  ロック部材を回動するだけで掛合部を上掛止部材の掛止溝に掛合でき、落下防止枠の閉鎖ロック操作が容易にできるようにする。【解決手段】  支柱２間に複数段の棚材３を取り付けたラックＲの出入口Ｒａを開閉自在に塞ぐ落下防止枠７と、この落下防止枠７の基部側をラックＲの支柱２に枢支する枢支具８と、落下防止枠７の自由端側をラックＲの棚材３に連結する連結具９とを備える。前記連結具９は、ラックＲの棚材３に取り付けた上下掛止部材２０Ｕ、２０Ｄと、落下防止枠７の縦杆５に支持されていて上下掛止部材２０Ｕ、２０Ｄと掛合・離脱自在に掛合するロック部材２１とを有する。前記上掛止部材２０Ｕは水平方向に開放した掛止溝Ｋを有し、前記ロック部材２１は縦軸廻りに回動することにより掛止溝Ｋに掛脱自在に掛合する上下方向に長い掛合部Ｇを有する。【選択図】図１
2018061551.tif 000002
【特許請求の範囲】
【請求項１】
支柱（２）間に複数段の棚材（３）を取り付けたラック（Ｒ）の出入口（Ｒａ）を開閉自在に塞ぐ落下防止枠（７）と、この落下防止枠（７）の基部側をラック（Ｒ）の支柱（２）に枢支する枢支具（８）と、落下防止枠（７）の自由端側をラック（Ｒ）の棚材（３）に連結する連結具（９）とを備えており、
前記連結具（９）は、ラック（Ｒ）の棚材（３）に取り付けた上下掛止部材（２０Ｕ、２０Ｄ）と、落下防止枠（７）の縦杆（５）に支持されていて上下掛止部材（２０Ｕ、２０Ｄ）と掛合・離脱自在に掛合するロック部材（２１）とを有する物品落下防止装置であって、
前記上掛止部材（２０Ｕ）は水平方向に開放した掛止溝（Ｋ）を有し、前記ロック部材（２１）は縦軸廻りに回動することにより掛止溝（Ｋ）に掛脱自在に掛合する上下方向に長い掛合部（Ｇ）を有することを特徴とする物品落下防止装置。
【請求項２】
前記ロック部材（２１）は落下防止枠（７）に上下移動自在にかつ回動自在に支持されており、ロック部材（２１）には上下移動及び回動するためのハンドル（３９）が設けられ、落下防止枠（７）にハンドル（３９）の上下移動及び回動を案内するガイド溝（４１）を有するガイド部材（４０）が設けられており、
前記ガイド部材（４０）のガイド溝（４１）は、掛合部（Ｇ）を上掛止部材（２０Ｕ）に掛脱するべくロック部材（２１）を回動する水平溝（４１ｂ）と、掛合部（Ｇ）を上掛止部材（２０Ｕ）に掛合した状態からロック部材（２１）を下降するべく前記水平溝（４１ｂ）の端部に連通した上下溝（４１ａ）とを有することを特徴とする請求項１に記載の物品落下防止装置。
【請求項３】
前記下掛止部材（２０Ｄ）は、ロック部材（２１）の掛合部（Ｇ）が掛止溝（Ｋ）に掛合した状態でロック部材（２１）の下端（２１ａ）が挿入可能な掛止孔（３６）を有し、前記ロック部材（２１）の掛合部（Ｇ）は、縦軸から径方向に離れかつ縦軸と平行に位置し、かつロック部材（２１）の下端（２１ａ）が掛止孔（３６）と挿脱する上下移動範囲より広い掛合範囲（Ｌ）を有することを特徴とする請求項１又は２に記載の物品落下防止装置。
【請求項４】
前記ロック部材（２１）の掛合部（Ｇ）は、ロック部材（２１）の上掛止部材（２０Ｕ）に対向する部位をクランク形状に屈曲して形成していることを特徴とする請求項１〜３のいずれか１項に記載の物品落下防止装置。
【請求項５】
前記ロック部材（２１）の掛合部（Ｇ）は、ロック部材（２１）の上掛止部材（２０Ｕ）に対向する部位に正面視コ字状の掛合部材（２５）を上下位置調整可能に装着して形成していることを特徴とする請求項１〜３のいずれか１項に記載の物品落下防止装置。
【発明の詳細な説明】
【技術分野】
【０００１】
本発明は、ラックの出入口に配置される物品落下防止装置に関する。
【背景技術】
【０００２】
ラック用物品落下防止装置は、特許文献１に開示されているように、支柱間に複数段の棚材を取り付けたラックの出入口に配置される物品落下防止装置であって、左右縦杆とそれを連結する上下横杆とで枠形状に形成されていてラックの出入口を開閉自在に塞ぐ落下防止枠と、この落下防止枠の基部側をラックの支柱に枢支する上下一対の枢支具と、落下防止枠の自由端側をラックの棚材に連結する連結具とを有しており、前記連結具は、ラックの棚材の前面に取り付けた上下掛止部材と、落下防止枠の縦杆に支持されていて上下動又は回動することにより前記上下掛止部材と掛合・離脱自在に掛合するロック部材とを有している。
【０００３】
前記ロック部材は下端がストレート形状で、上端が逆Ｊ字状の掛合フックになっており、この掛合フックは上掛止部材の掛止孔に真上から挿脱される。
【先行技術文献】
【特許文献】
【０００４】
【特許文献１】特開２０１６−２２０５７号公報
【発明の概要】
【発明が解決しようとする課題】
【０００５】
前記従来技術は、ロック部材の上端の掛合フックは、上掛止部材の掛止孔に挿入するために上下移動だけでなく回動して掛止孔の真上へ位置合わせをしなくてはならなく、この位置合わせが困難かつ面倒な操作となっている。
また、掛合フックは上掛止部材の掛止孔の上方まで上移動しないといけないので、掛合フックに対する上掛止部材の上下方向の位置を正確にしなければならなく、複数段の棚材の間隔が違えば、その間隔に対応する掛合フックを用意しなくてはならなく、汎用性の低いものとなっている。
【０００６】
本発明は、このような従来技術の問題点を解決できるようにした物品落下防止装置を提供することを目的とする。
本発明は、ロック部材を回動するだけで掛合部を上掛止部材の掛止溝に掛合でき、落下防止枠の閉鎖ロック操作が容易にできる物品落下防止装置を提供することを目的とする。
【課題を解決するための手段】
【０００７】
本発明における課題解決のための具体的手段は、次の通りである。
第１に、支柱２間に複数段の棚材３を取り付けたラックＲの出入口Ｒａを開閉自在に塞ぐ落下防止枠７と、この落下防止枠７の基部側をラックＲの支柱２に枢支する枢支具８と、落下防止枠７の自由端側をラックＲの棚材３に連結する連結具９とを備えており、
前記連結具９は、ラックＲの棚材３に取り付けた上下掛止部材２０Ｕ、２０Ｄと、落下防止枠７の縦杆５に支持されていて上下掛止部材２０Ｕ、２０Ｄと掛合・離脱自在に掛合するロック部材２１とを有する物品落下防止装置であって、
前記上掛止部材２０Ｕは水平方向に開放した掛止溝Ｋを有し、前記ロック部材２１は縦軸廻りに回動することにより掛止溝Ｋに掛脱自在に掛合する上下方向に長い掛合部Ｇを有することを特徴とする。
【０００８】
第２に、前記ロック部材２１は落下防止枠７に上下移動自在にかつ回動自在に支持されており、ロック部材２１には上下移動及び回動するためのハンドル３９が設けられ、落下防止枠７にハンドル３９の上下移動及び回動を案内するガイド溝４１を有するガイド部材４０が設けられており、
前記ガイド部材４０のガイド溝４１は、掛合部Ｇを上掛止部材２０Ｕに掛脱するべくロック部材２１を回動する水平溝４１ｂと、掛合部Ｇを上掛止部材２０Ｕに掛合した状態からロック部材２１を下降するべく前記水平溝４１ｂの端部に連通した上下溝４１ａとを有することを特徴とする。
【０００９】
第３に、前記下掛止部材２０Ｄは、ロック部材２１の掛合部Ｇが掛止溝Ｋに掛合した状態でロック部材２１の下端２１ａが挿入可能な掛止孔３６を有し、前記ロック部材２１の掛合部Ｇは、縦軸から径方向に離れかつ縦軸と平行に位置し、かつロック部材２１の下端２１ａが掛止孔３６と挿脱する上下移動範囲より広い掛合範囲Ｌを有することを特徴とする。
【００１０】
第４に、前記ロック部材２１の掛合部Ｇは、ロック部材２１の上掛止部材２０Ｕに対向する部位をクランク形状に屈曲して形成していることを特徴とする。
第５に、前記ロック部材２１の掛合部Ｇは、ロック部材２１の上掛止部材２０Ｕに対向する部位に正面視コ字状の掛合部材２５を上下位置調整可能に装着して形成していることを特徴とする。
【発明の効果】
【００１１】
本発明によれば、ロック部材を回動するだけで掛合部を上掛止部材の掛止溝に掛合でき、落下防止枠の閉鎖ロック操作が容易にできる。
即ち、請求項１に係る発明は、上掛止部材２０Ｕは水平方向に開放した掛止溝Ｋを有し、ロック部材２１は縦軸廻りに回動することにより掛止溝Ｋに掛脱自在に掛合する上下方向に長い掛合部Ｇを有するので、ロック部材２１を回動するだけで掛合部Ｇを掛止溝Ｋに掛合することができ、落下防止枠７の閉鎖ロック操作が容易にできる。
【００１２】
請求項２に係る発明は、ガイド部材４０によってハンドル３９の上下移動及び回動を案内でき、しかも、ロック部材２１の掛合部Ｇが上掛止部材２０Ｕに掛合した状態から不本意に離脱するのを防止できる。
請求項３に係る発明は、ロック部材２１の掛合部Ｇが回動動作で掛止溝Ｋに掛合したあとに、ロック部材２１の下端２１ａは下降動作をして下掛止部材２０Ｄの掛止孔３６に掛合でき、また、ロック部材２１の掛合部Ｇは広い掛合範囲Ｌを有するので、ロック部材２１を上下移動してもロック部材２１の掛合部Ｇと掛止溝Ｋとの掛合を維持できる。さらに、ロック部材２１に対して上掛止部材２０Ｕの上下方向の位置がずれていても、広い掛合範囲Ｌによって掛合部Ｇと掛止溝Ｋとの掛合を確保できる。
【００１３】
請求項４に係る発明は、ロック部材２１をクランク形状に屈曲するだけで掛合部Ｇを簡単に形成することができる。
請求項５に係る発明は、ロック部材２１にコ字状の掛合部材２５を装着するだけで掛合部Ｇを簡単に形成することができ、かつその上下位置も変更することができる。
【図面の簡単な説明】
【００１４】
【図１】本発明の実施形態を示すラック出入口閉鎖状態の全体正面図である。
【図２】同全体平面図である。
【図３】物品落下防止装置の正面図である。
【図４】同要部の正面図である。
【図５】上掛止部材近傍の平面図である。
【図６】下掛止部材近傍の側面図である。
【図７】ロック部材の変形例を示すラック出入口閉鎖状態の要部正面図である。
【図８】図７のＸ矢視図である。
【図９】掛合部材の正面図である。
【発明を実施するための形態】
【００１５】
以下、本発明の実施の形態を図面に基づいて説明する。
図１〜６において、物品落下防止装置１はラックＲの支柱２に取り付けられている。
ラックＲは、複数本の支柱２を立設しておいて、下段、中段、上段等複数段に棚材３を取り付けて構成され、各段の棚材３は、ラックＲの支柱２間が物品を出し入れする出入口Ｒａとなっており、物品落下防止装置１は出入口Ｒａに回動開閉自在に配置されて、地震時に出入口Ｒａから物品が落下するのを阻止する。
【００１６】
ラックＲは２本の支柱２間に幅の広い出入口Ｒａを形成する場合、左右各支柱２に物品落下防止装置１を対称状に装着し、左右落下防止枠７を観音開き状に開閉する。図１においては、左右対称の２台を物品落下防止装置１Ａ、物品落下防止装置１Ｂとして例示して
いる。
ラックＲに３本以上の支柱２が有る場合、中間の支柱２には２台の物品落下防止装置１Ａを背中合わせ対称状に装着する。
【００１７】
物品落下防止装置１（１Ａ、１Ｂ）は、大別して、落下防止枠７（７Ａ、７Ｂ）と、上下一対の枢支具８と、連結具９とを有している。
落下防止枠７は、四角管材（四角パイプ）製の左右一対の縦杆５と、左右縦杆５の上下端部を連結する上下一対の横杆６とで四角枠形状に形成され、左右縦杆５間の中間位置に上下横杆６を連結する補助縦杆１６が設けられている。縦杆５と横杆６とはともに四角パイプであり、溶着されている。上横杆６は上棚材３より上方に位置している。
【００１８】
図１〜３において、上下一対の枢支具８は、落下防止枠７の基部側（枢支側）をラックＲの支柱２に枢支している。上下各枢支具８は、支柱２に上下位置調整可能に固定された台体１２と、この台体１２と落下防止枠７とを連結する蝶番１３とを有する。
図１〜６において、連結具９は、ラックＲの上下の棚材３の前面に取り付けた上下掛止部材２０（２０Ｕ、２０Ｄ）と、落下防止枠７の縦杆５に支持されたロック部材２１とを有する。
【００１９】
ロック部材２１は縦杆５に沿う縦長のロッドで形成され、縦杆５に設けた複数の案内部材３８に上下移動自在にかつ回動自在に支持されており、ストレート形状のロッドの上部近傍（上掛止部材２０Ｕに対向する部位）をクランク形状に屈曲して掛合部Ｇが形成され、下部にハンドル３９を取り付けている。
前記掛合部Ｇは、ロック部材２１の縦軸（回動軸心）から径方向に離れかつ縦軸と平行な部分であり、上下方向に長く形成されており、上掛止部材２０Ｕに形成された水平方向に開放した掛止溝Ｋと掛合可能になっている。
【００２０】
前記掛合部Ｇは、後述するロック部材２１の下端２１ａが下掛止部材２０Ｄの掛止孔３６と挿脱する上下移動範囲より広い掛合範囲Ｌを有しており、ロック部材２１を上下移動しても、ロック部材２１の掛合部Ｇと掛止溝Ｋとの掛合が維持される。
上掛止部材２０Ｕは、棚材３の前面に取り付けられる取付板３０に掛止板３１を側面視Ｔ字状に溶着している。掛止板３１は水平な板材であり、一辺側には水平方向に開放した掛止溝Ｋが形成され、掛止溝Ｋの開口は拡大された案内面Ｋａとなっており、また、前辺側は落下防止枠７の縦杆５が当接する当接部２０ａが形成されている。
【００２１】
前記掛止溝Ｋは、ロック部材２１を縦軸廻りに回動して掛合部Ｇを外側から案内面Ｋａを通って挿入すると、掛合部Ｇの掛合によりロック部材２１が上掛止部材２０Ｕ側に引き寄せられ、縦杆５が当接部２０ａに当接し、落下防止枠７が閉鎖位置に固定される。
下掛止部材２０Ｄは、棚材３の前面に取り付けられる取付板３３に掛止板３４を側面視Ｔ字状に溶着している。棚材３には長手方向に多数の孔３ａが穿孔されており、取付板３３には上下方向に長い長孔３３ａが形成されており、両孔を貫通するボルトで取付板３３は棚材３に上下位置調整可能に固定されている。
【００２２】
前記掛止板３４には上下方向に貫通した掛止孔３６が形成されており、この掛止孔３６にロック部材２１のストレート形状の下端２１ａが挿入可能になっている。この下掛止部材２０Ｄの前辺側にも落下防止枠７の縦杆５が当接する当接部が形成されている。
落下防止枠７の縦杆５の下部にはガイド部材４０が設けられている。このガイド部材４０は、ロック部材２１を上下移動自在にかつ回動自在に支持するとともに、ハンドル３９の上下移動及び回動を案内している。
【００２３】
ガイド部材４０には逆Ｌ字状のガイド溝４１が形成され、ハンドル３９が挿通されている。前記ガイド溝４１は、掛合部Ｇを上掛止部材２０Ｕに掛脱するべくロック部材２１を回動する水平溝４１ｂと、掛合部Ｇを上掛止部材２０Ｕに掛合した状態からロック部材２１を下降するべく前記水平溝４１ｂの端部に連通した上下溝４１ａとを有する。
ハンドル３９をガイド溝４１の上下溝４１ａに沿って上昇させると、ロック部材２１が上昇し、その下端２１ａを掛止孔３６から離脱でき、上昇した位置からハンドル３９をガイド溝４１の水平溝４１ｂに沿って回動すると、ロック部材２１が回動し、掛合部Ｇを上掛止部材２０Ｕの掛止溝Ｋから離脱でき、落下防止枠７が開放可能になる。
【００２４】
逆に、開放していた落下防止枠７を閉鎖すると、縦杆５が上下掛止部材２０Ｕ、２０Ｄの当接部２０ａに当接し、ロック部材２１の下端２１ａが掛止孔３６の真上に位置し、掛合部Ｇは上掛止部材２０Ｕの外方に位置する。
その状態からハンドル３９をガイド溝４１の水平溝４１ｂの奥から上下溝４１ａ側に移行すると、ロック部材２１が縦軸廻りに回動され、掛合部Ｇは上掛止部材２０Ｕの掛止溝Ｋに入って掛合される。
【００２５】
ハンドル３９がガイド溝４１の上下溝４１ａに移行することにより下降が可能になり、ハンドル３９を引き下げることによりロック部材２１が下方移動し、その下端２１ａが掛止孔３６に挿入される。このロック部材２１の下方移動中、掛合部Ｇも下方移動するが、上下方向に長いので掛止溝Ｋとの掛合は維持され、ロック部材２１と掛止孔３６の掛合を確実に維持させる。
【００２６】
ハンドル３９がガイド溝４１の上下溝４１ａ内に位置していると、ハンドル３９及びロック部材２１が上下移動しても回動が阻止されるので、掛合部Ｇが上掛止部材２０Ｕに掛合した状態は維持され、ロック部材２１が不本意に離脱するのが防止される。
図７〜９においてロック部材２１の変形例を示しており、ロック部材２１は四角中実棒で形成され、縦杆５に設けた複数（３個）の案内部材３８の円形孔に挿入されていて、上下移動自在にかつ回動自在に支持されており、ストレート形状のロッドの上部近傍（上掛止部材２０Ｕに対向する部位）に上下に長い掛合部Ｇを形成する掛合部材２５を取り付け、下部にハンドル３９を取り付けている。
【００２７】
前記掛合部材２５は、丸棒材の上下部を屈曲して正面視コ字部材２５ａを形成し、このコ字部材２５ａの上下端に平面視コ字状の挟持部材２５ｂを固着しており、上下挟持部材２５ｂを断面四角形のロック部材２１に嵌合し、ネジ、ボルト等の締結具２６で挟持締結することにより固定されている。
前記掛合部材２５は、コ字部材２５ａの垂直部分が掛合部Ｇとなっており、ロック部材２１との間に上下に長い溝を形成することができ、締結具２６を緩めることによりロック部材２１に対する上下位置を変更することができ、挟持部材２５ｂがロック部材２１の２面又は３面と面接することにより、ロック部材２１と一体的に回動できる。
【００２８】
前記掛合部材２５の掛合部Ｇは、コ字部材２５ａの垂直部分がロック部材２１の縦軸（回動軸心）から径方向に離れかつ縦軸と平行な部分であり、上下方向に長く形成されており、上掛止部材２０Ｕに形成された水平方向に開放した掛止溝Ｋと掛合可能になっている。
前記掛合部Ｇは、ロック部材２１の下端２１ａが下掛止部材２０Ｄの掛止孔３６と挿脱する上下移動範囲より広い掛合範囲Ｌを有しており、ロック部材２１を上下移動しても、ロック部材２１の掛合部Ｇと掛止溝Ｋとの掛合が維持される。
【００２９】
なお、本発明は前記実施形態における各部材の形状及びそれぞれの前後・左右・上下の位置関係は、図１〜９に示すように構成することが最良である。しかし、前記実施形態に限定されるものではなく、部材、構成を種々変形したり、組み合わせを変更したりすることもできる。
例えば、ロック部材２１は掛合部Ｇを上下両部に形成し、下掛止部材２０Ｄを上掛止部材２０Ｕと同じ水平方向に開放した掛止溝Ｋを有する部材とし、ロック部材２１を回動するだけで上下掛止部材２０Ｕ、２０Ｄと掛合・離脱するように構成してもよい。
【００３０】
また、ロック部材２１の掛合部材２５は、丸棒材の上下一端を自由端とし、他端のみを屈曲して正面視Ｌ字状に形成し、その屈曲した他端に挟持部材２５ｂを固着し、この挟持部材２５ｂを断面四角形のロック部材２１に嵌合して上下位置変更自在に装着するように構成してもよい。
【符号の説明】
【００３１】
１      物品落下防止装置
２      支柱
３      棚材
５      縦杆
６      横杆
７      落下防止枠
８      枢支具
９      連結具
１２    台体
１３    蝶番
２０Ｄ  下掛止部材
２０Ｕ  上掛止部材
２１    ロック部材
２５    掛合部材
３６    掛止孔
３９    ハンドル
４０    ガイド部材
４１    ガイド溝
４１ａ  上下溝
４１ｂ  水平溝
Ｇ      掛合部
Ｋ      掛止溝
Ｋａ    案内面
Ｒ      ラック
Ｒａ    出入口
【図１】
2018061551.tif 000003
【図２】
2018061551.tif 000004
【図３】
2018061551.tif 000005
【図４】
2018061551.tif 000006
【図５】
2018061551.tif 000007
【図６】
2018061551.tif 000008
【図７】
2018061551.tif 000009
【図８】
2018061551.tif 000010
【図９】
2018061551.tif 000011